【手続補正書】
【提出日】平成19年12月17日(2007.12.17)
【手続補正１】
【補正対象書類名】明細書
【補正対象項目名】特許請求の範囲
【補正方法】変更
【補正の内容】
【特許請求の範囲】
【請求項１】  レザバ内容物の制御された放出または曝露のためのマイクロチップデバイスアレイであって、該マイクロチップデバイスアレイが、以下：
２つ以上のマイクロチップデバイスエレメントであって、該２つ以上のマイクロチップデバイスエレメントの各々が複数のレザバを含み、該レザバが、制御された放出のための分子または選択的な曝露のための成分を含有する、２つ以上のマイクロチップデバイスエレメント；および
湾曲状の表面に適合し得る可撓性アレイを形成するように、該デバイスエレメントに可撓的に接続するための手段であって、該可撓的に接続するための手段が、該デバイスエレメントの表面に取り付けられた可撓性支持層を含むか、または２つ以上の該デバイスエレメントを接続するための１つ以上のヒンジまたは可撓性のつなぎを含む、可撓的に接続するための手段
を含む、マイクロチップデバイスアレイ。
【請求項２】  請求項１に記載のマイクロチップデバイスアレイであって、前記可撓性支持層がポリマーを含む、マイクロチップデバイスアレイ。
【請求項３】  請求項１に記載のマイクロチップデバイスアレイであって、前記可撓性支持層は、前記レザバから分子を放出可能なように多孔性もしくは透過性であるか、または該可撓性支持層にわたり１つ以上の開口部が提供される、マイクロチップデバイスアレイ。
【請求項４】  患者の表面または患者の中に移植するための請求項１から請求項３のいずれか１項に記載のマイクロチップデバイスアレイであって、前記アレイが、組織表面の湾曲に適合し得る、マイクロチップデバイスアレイ。
【請求項５】  患者の眼内または患者の眼の表面への移植のための請求項４に記載のマイクロチップデバイスアレイであって、前記組織表面が、眼の組織を含む、マイクロチップデバイスアレイ。
【請求項６】  前記マイクロチップデバイスエレメントが、前記レザバ上にレザバのキャップを含む、請求項１から請求項５のいずれか１項に記載のマイクロチップデバイスアレイ。
【請求項７】  前記マイクロチップデバイスエレメントにワイヤレスで連絡する手段をさらに含む、請求項１から請求項６のいずれか１項に記載のマイクロチップデバイスアレイ。
【請求項８】  エネルギー貯蔵手段をさらに含む、請求項１から請求項７のいずれか１項に記載のマイクロチップデバイスアレイ。
【請求項９】  請求項１から請求項８のいずれか１項に記載のマイクロチップデバイスアレイであって、前記マイクロチップデバイスエレメントが、各々、共通エネルギー供給源によってエネルギーを供給され得るか、または共通の制御供給源によって制御され得るように、該マイクロチップデバイスアレイが、２つ以上の該マイクロチップデバイスエレメント間の電気的接続をさらに含む、マイクロチップデバイスアレイ。
【請求項１０】  前記レザバが、薬物分子を含む、請求項１から請求項９のいずれか１項に記載のマイクロチップデバイスアレイ。
【請求項１１】  前記レザバが、曝露のための１つ以上の第２のデバイスを含む、請求項１から請求項９のいずれか１項に記載のマイクロチップデバイスアレイ。
【請求項１２】  前記第２のデバイスが、センサーを含む、請求項１１に記載のマイクロチップデバイスアレイ。
【請求項１３】  請求項１から請求項９のいずれか１項に記載のマイクロチップデバイスアレイであって、前記レザバが、診断用試薬、触媒、コンビナトリアルケミストリー前駆体、および芳香分子からなる群より選択される分子を含む、マイクロチップデバイスアレイ。
【請求項１４】  電気的トレースが、前記デバイスエレメントに可撓的に接続するための前記手段の中に作製された、請求項１から請求項１３のいずれか１項に記載のマイクロチップデバイスアレイ。
【請求項１５】  請求項１に記載のマイクロチップデバイスアレイであって、前記マイクロチップデバイスエレメントが、受動的な手段による前記レザバ内容物の制御された放出または選択的な曝露をするように適合された、請求項１に記載のマイクロチップデバイスアレイ。
【請求項１６】  患者の眼の中または眼の上への移植のための薬物送達デバイスであって、該デバイスは、以下：
複数のレザバを含むマイクロチップデバイスであって、該レザバの各々が、各々のレザバ上に配置されたレザバキャップの崩壊、破壊または透過のときに制御された放出をする薬物分子を含む、マイクロチップデバイス
を含み、
該薬物送達デバイスが、眼の強膜組織の表面に適合するように適用された、薬物送達デバイス。
【請求項１７】  前記薬物分子が、黄斑変性または糖尿病性網膜症の処置に有用である、請求項１６に記載のデバイス。
【請求項１８】  患者への薬物の経皮送達または経粘膜送達のための薬物送達デバイスであって、該デバイスが、以下：
複数のレザバを含むマイクロチップデバイスであって、該レザバの各々が、各々のレザバ上に配置されたレザバキャップの崩壊、破壊または透過のときに制御された放出をする薬物分子を含む、マイクロチップデバイス
を含み、
該薬物送達デバイスが、角質層または粘膜組織の表面に可撓的に適合するように適用された、薬物送達デバイス。
【請求項１９】  インビトロで分子を送達するための方法であって、該方法は、以下：
送達のための部位に、請求項１から請求項１０または請求項１３から請求項１８のいずれか１項に記載のデバイスを配置する工程；および
１つ以上の前記レザバから該分子を選択的に放出させる工程、
を包含する、方法。
【請求項２０】  インビトロにおいて１つの部位で分子または物理学的特性を感知するための方法であって、該方法は、以下：
感知する１つの部位に、請求項１２に記載のデバイスを配置する工程；および
該部位で分子または特性に該センサーを選択的に曝し、これにより該センサーに該分子または該特性を感知させ得る、工程
を包含する、方法。
【請求項２１】  格納レザバを選択的に開けるための方法であって、該方法は、以下：
少なくとも１つのレザバが位置づけられかつ第１のレザバキャップによって覆われる基板を含むデバイスを提供する工程；および
レーザー光を該レザバキャップに向けて、該レザバキャップを崩壊させるかまたは透過性にする工程；
を包含する、方法。
【請求項２２】  前記レザバキャップはポリマーを含む、請求項２１に記載の方法。
【請求項２３】  前記デバイスは、移植可能な医療用デバイスである、請求項２１に記載の方法。
【請求項２４】  前記レザバは薬物を含む、請求項２１に記載の方法。
【請求項２５】  前記薬物は、抗菌薬；抗ウイルス薬；他の抗菌薬物；抗アレルギー薬；抗炎症薬；ワクチン；成長因子；炭酸脱水酵素阻害薬；血管形成阻害薬；アンギオスタチン；抗増殖性剤；抗血管新生因子；免疫調節薬；遺伝子転移ベクター；細胞障害性薬および化学療法薬物からなる群より選択される治療剤または予防剤を含む、請求項２４に記載の方法。
【請求項２６】  前記レザバは、バイオセンサーを含む、請求項２１に記載の方法。
【請求項２７】  格納レザバを選択的に開けるための方法であって、該方法は、以下：
（ｉ）複数のレザバが位置づけられている基板、および（ｉｉ）複数のレザバキャップであって、該レザバキャップの各々が該レザバを覆う、レザバキャップ、を含むデバイスを提供する工程；
１回目にレーザー光を第１のレザバキャップに向けて、該第１のレザバキャップを崩壊させるかまたは透過性にする工程；ならびに
２回目にレーザー光を第２のレザバキャップに向けて、該第２のレザバキャップを崩壊させるかまたは透過性にする工程、
を包含する、方法。
【請求項２８】  部品のキットであって、以下：
少なくとも１つのレザバが位置づけられかつレザバキャップによって覆われている基板を含む、移植可能な医療用デバイス；および
レーザー光を該レザバキャップに向けて、該レザバキャップを崩壊させるかまたは透過性にするためのレーザー；
を備えるキット。
【請求項２９】  前記レザバは、前記レーザー光によって前記レザバキャップを崩壊させるかまたは透過性にした後に放出可能である薬物を含む、請求項２８に記載のキット。
【請求項３０】  前記基板は、可撓性のポリマー材料を含むかまたは該基板は、可撓性支持層に取り付けられている、請求項２８に記載のキット。
【請求項３１】  前記レーザーは、眼用レーザーである、請求項２８に記載のキット。
【請求項３２】  患者の医療的処置または診断のためのデバイスであって、該デバイスは、（ｉ）少なくとも１つのレザバが位置づけられかつ第１のレザバキャップによって覆われる基板；および（ｉｉ）該レザバの中に位置づけられている薬物またはセンサー、ならびに（ｉｉｉ）該レザバキャップを崩壊させるかまたは透過性にするための制御回路および電源；ならびに（ｉｖ）入射光エネルギーを受け取るための外部インターフェース、を含み、ここで該デバイスは、該患者に移植され；そして該デバイスは、該移植されたデバイスの該外部インターフェースに向けられて、該レザバキャップの正確な崩壊または透過化を作動し、該薬物を放出するかまたは該センサを曝露する集束光とともに使用される、デバイス。
【請求項３３】  前記デバイスは、患者の強膜または眼の他の組織表面に移植される、請求項３２に記載のデバイス。
【請求項３４】  前記集束光はレーザー光である、請求項３２に記載のデバイス。
【請求項３５】  前記レーザー光は、電力を前記デバイスへ伝達する、請求項３４に記載のデバイス。
【請求項３６】  前記レーザー光は、データを前記デバイスへ伝達する、請求項３４に記載のデバイス。